(57)【要約】【課題】  レセプタクルの基板に対する取付強度と、プラグの挿抜作業の効率とを向上する。【解決手段】  レセプタクル１０１は、ハウジング１０９、光電変換素子１０６、及び帯状部材１０４を備える。ハウジング１０３は、プリント基板１１０に対して垂直な方向に光信号伝送用プラグ３１０を差し込む挿入口１０７を有する。帯状部材１０４は、ツバ部１３６に係止され、位置決め用凹部１３３に収容される基部２１３と、基部から突出してプリント基板１１０に固定される突出片１０２ａ〜１０２ｃを有する。【選択図】図６
2005043750.tif 000002
【特許請求の範囲】
【請求項１】
プリント基板に対して垂直な方向に差し込まれる光信号伝送用プラグを受け入れるための挿入口を有し、前記プリント基板上に取り付けられたハウジングと、
前記挿入口に受け入れた前記光信号伝送用プラグと光信号の授受を行う、前記ハウジング内に収容された光電変換素子と、
前記ハウジングを前記プリント基板上に固定するための帯状部材とを備え、
前記ハウジングは、前記プリント基板との対向面を除く外周面の少なくとも一部で前記帯状部材の形状に対応して窪んだ位置決め用凹部と、この位置決め用凹部近傍に隣接して設けられたツバ部とを有し、
前記帯状部材は、前記ツバ部に係止されるように前記位置決め用凹部に収容されて前記ハウジングに固定される基部と、この基部の少なくとも前記ハウジングを挟んで対向する部分からそれぞれ突出する突出片とを有し、これらの突出片はプリント基板に予め形成された挿通孔に挿通されて半田付けされる、レセプタクル。
【請求項２】
前記帯状部材は、前記突出片と前記基部との接続部分の近傍に貫通孔を有することを特徴とする、請求項１に記載のレセプタクル。
【請求項３】
前記突出片は、前記基部の長手方向に対して直交する方向へ突出することを特徴とする、請求項１又は請求項２に記載のレセプタクル。
【請求項４】
前記突出片の先端部は、部分的に外向きに突出する係止部を備えることを特徴とする、請求項１から請求項３のいずれかに記載のレセプタクル。
【請求項５】
前記突出片が前記ハウジングの対向面から突出する部分の長さが、前記光電変換素子の端子が前記ハウジングの対向面から突出する部分の長さよりも短いことを特徴とする、請求項１から請求項４のいずれかに記載のレセプタクル。
【請求項６】
前記ハウジングの対向面に溝を設けたことを特徴とする、請求項１から請求項５のいずれかに記載のレセプタクル。
【請求項７】
前記ハウジングは、前記挿入口に受け入れた前記光信号伝送用プラグを前記プリント基板に対して平行となるよう回転させる回転機構を内蔵していることを特徴とする、請求項１から６のいずれかに記載のレセプタクル。
【請求項８】
前記回転機構は、前記光信号伝送用プラグを受け入れる挿入口が設けられると共に、前記ハウジングに対して該挿入口と交差する方向に延びる軸線回りに回転可能なホルダを備え、かつ
前記光電変換素子は、前記ホルダの回転により前記光信号伝送用プラグが前記プリント基板に対して平行となると、前記光信号伝送用プラグとの前記光信号の授受が可能となるように前記ハウジング内に収容されていることを特徴とする、請求項７に記載のレセプタクル。
【請求項９】
前記ハウジングと前記光信号伝送用プラグのうちの一方に設けられたつめと、
前記ハウジングと前記光信号伝送用プラグのうちの他方に設けられ、前記つめが係止される係止孔とを備え、
前記つめと前記係止孔は、前記光信号伝送用プラグが前記プリント基板に対した平行となる位置に前記ホルダが回転すると前記つめが前記係止孔に係止される位置に設けられていることを特徴とする、請求項７又は請求項８に記載のレセプタクル。
【請求項１０】
請求項１から請求項９のいずれか１項に記載のレセプタクルを備える電子機器。
【発明の詳細な説明】
【技術分野】
【０００１】
本発明は、レセプタクルに関し、DVDプレーヤー、TV、セットトップボックス（STB）、AVレシーバー、パソコン、PDA、携帯電話、パチンコ台等の電子機器に用いられるレセプタクルに関する。
【背景技術】
【０００２】
従来のレセプタクルとして、光信号伝送用プラグを受け入れる挿入口を有するハウジングと、ハウジング内に収容されて光信号伝送用プラグとの間で光信号の授受を行う光電変換素子とを備えるものが知られている。一般にこのようなレセプタクルでは、光電変換素子から延出してハウジング外へ突出する端子が、プリント基板に予め形成された挿通孔に挿通され、半田付けされることによりプリント基板上に固定される。
【０００３】
また、レセプタクルをより容易、かつ確実にプリント基板上に固定するために、さまざまな取付方法や取付構造が考えられている。たとえば、特許文献１に記載されている一般的に知られた取付方法では、取付治具を介してレセプタクル(コネクタ)をプリント基板にビス止めで仮固定した後、端子を半田付けして最終的に固定する。
【０００４】
また、特許文献２には、プリント基板に立設された金属製のピンをレセプタクル(コネクタ)の取付部に形成された孔に圧入した後、ピンを加熱して取付部とピンを溶着させることにより固定する取付構造が記載されている。
【０００５】
【特許文献１】特開平１１−１６７９６６号公報（図１）
【特許文献２】特開２０００−５６１８６号公報（図１）
【発明の開示】
【発明が解決しようとする課題】
【０００６】
しかし、特許文献１および特許文献２に記載されたレセプタクル（コネクタ）は、いずれもプラグ（相手方のコネクタ）を基板と平行に挿抜することを想定した形状であり、基板と垂直に挿抜することは想定されていない。基板と平行にプラグを挿抜するのでは、作業効率が良好でなく、こじるようなプラグの挿抜に対するレセプタクルの基板に対する取付強度が充分でない。
【０００７】
また、特に光ファイバケーブルを機器内で使用する場合に、省スペース化や、ケーブルに過度の負荷を作用させないために、ケーブルを基板に対して平行に保持したいというニーズもある。このニーズを充たしつつ、作業効率を高めるために基板に対して垂直にプラグの挿抜を行うことも必要となる。
【０００８】
本発明は、前記のような従来のレセプタクルにおける問題を解決し、レセプタクルの基板に対する取付強度の向上と、レセプタクルに対するプラグの挿抜作業の効率向上とを図ることを課題としている。
【課題を解決するための手段】
【０００９】
本発明は、プリント基板に対して垂直な方向に差し込まれる光信号伝送用プラグを受け入れるための挿入口を有し、前記プリント基板上に取り付けられたハウジングと、前記挿入口に受け入れた前記光信号伝送用プラグと光信号の授受を行う、前記ハウジング内に収容された光電変換素子と、前記ハウジングを前記プリント基板上に固定するための帯状部材とを備え、前記ハウジングは、前記プリント基板との対向面を除く外周面の少なくとも一部で前記帯状部材の形状に対応して窪んだ位置決め用凹部と、この位置決め用凹部近傍に隣接して設けられたツバ部とを有し、前記帯状部材は、前記ツバ部に係止されるように前記位置決め用凹部に収容されて前記ハウジングに固定される基部と、この基部の少なくとも前記ハウジングを挟んで対向する部分からそれぞれ突出する突出片とを有し、これらの突出片はプリント基板に予め形成された挿通孔に挿通されて半田付けされる、レセプタクルを提供する。ハウジングはプリント基板に対して強固に固定され、光信号伝送用プラグをこじるよう挿抜に対しても充分な取付強度を有する。また、挿入口に対してプリント基板に対して垂直な方向から光信号伝送用プラグが挿入されるので作業性が良好である。
【００１０】
前記帯状部材は、前記突出片と前記基部との接続部分の近傍に貫通孔を有することが好ましい。この貫通孔を設けることで突出片を伝って半田がハウジングに達するのを防止することができる。
【００１１】
前記突出片は、前記基部の長手方向に対して直交する方向へ突出することが好ましい。帯状部材をかかる構造とすることで、プリント基板に対してハウジングをより強固に固定することができる。
【００１２】
前記突出片の先端部は、部分的に外向きに突出する係止部を備えることが好ましい。突出片にかかる係止部を設けることで、プリント基板に対してハウジングが安定して固定される。
【００１３】
前記突出片が前記ハウジングの対向面から突出する部分の長さが、前記光電変換素子の端子が前記ハウジングの対向面から突出する部分の長さよりも短いことが好ましい。これにより帯状部材の突出片や光電変換素子の端子の長さの公差が比較的大きい場合でも、突出片に過度の負荷を作用させることなくハウジングをプリント基板に取り付けることができる。
【００１４】
前記ハウジングの対向面に、溝を設けることが好ましい。この溝を設けることで、半田付け時にプリント基板のフラックス等がハウジングの対向面とプリント基板との間に侵入するのを防止することができる。
【００１５】
前記ハウジングは、前記挿入口に受け入れた前記光信号伝送用プラグを前記プリント基板に対して平行となるよう回転させる回転機構を内蔵していてもよい。かかる回転機構を設けることにより、光信号伝送用プラグはプリント基板に対して垂直な方向に挿通孔に差し込み、差し込み完了後にプリント基板に対して平行にできる。従って、光信号伝送用プラグの抜き差しの良好な作業性を維持しつつ、光信号伝送用プラグ及びこれに接続された光ケーブルをプリント基板に対して平行とすることができる。
【００１６】
例えば、前記回転機構は、前記光信号伝送用プラグを受け入れる挿入口が設けられると共に、前記ハウジングに対して該挿入口と交差する方向に延びる軸線回りに回転可能なホルダを備え、かつ前記光電変換素子は、前記ホルダの回転により前記光信号伝送用プラグが前記プリント基板に対して平行となると、前記光信号伝送用プラグとの前記光信号の授受が可能となるように前記ハウジング内に収容されている。
【００１７】
前記ハウジングと前記光信号伝送用プラグのうちの一方に設けられたつめと、前記ハウジングと前記光信号伝送用プラグのうちの他方に設けられ、前記つめが係止される係止孔とを備え、前記つめと前記係止孔は、前記光信号伝送用プラグが前記プリント基板に対した平行となる位置に前記ホルダが回転すると前記つめが前記係止孔に係止される位置に設けられていてもよい。かかるつめと係止孔を設けることで、光信号伝送用プラグをプリント基板に対して平行な姿勢で確実に保持することができる。
【００１８】
また、本発明は、前記レセプタクルを備える電子機器を提供する。
【発明の効果】
【００１９】
本発明のレセプタクルでは、ツバ部に係止されるように位置決め凹部に収容される帯状部材の基部と、この基部から突出する突出片によりハウジングがプリント基板に対して強固に固定され、光信号伝送用プラグをこじるような挿抜に対しても充分な取付強度を有する。また、挿入口に対してプリント基板に対して垂直な方向から光信号伝送用プラグが挿入されるので作業性が良好である。突出片が基部の長手方向に対して直交する方向へ突出する構造や、突出片の先端部に部分的に外向きに突出する係止部を設けた構造を採用することで、ハウジングのプリント基板に対する取付強度がさらに向上する。
【００２０】
突出片と基部との接続部分の近傍に貫通孔を設けることで、突出片を伝って半田がハウジングに達するのを防止し、かかる半田に起因するハウジングのプリント基板に対する位置ずれや、ハウジングのプリント基板に対する取付強度の低下を防止することができる。
【００２１】
突出片がハウジングの対向面から突出する部分の長さを、光電変換素子の端子がハウジングの対向面から突出する部分の長さよりも短く設定することで、突出片に過度の負荷を作用させることなく、簡単、かつ確実にハウジングをプリント基板に取り付けることができる
【００２２】
ハウジングの対向面に溝を設けることで、半田付け時にプリント基板のフラックス等がハウジングの対向面とプリント基板との間に侵入するのを防止し、かかるフラックス等の侵入に起因するハウジングのプリント基板に対する位置ずれや、ハウジングのプリント基板に対する取付強度の低下を防止することができる。
【００２３】
前記光信号伝送用プラグを受け入れた後、この光信号伝送用プラグとプリント基板が平行となるよう回転する回転機構をハウジングに内蔵することで、プリント基板に対して垂直な方向に光信号伝送用プラグを挿通孔に対して差し込み、差し込み完了後に光信号伝送用プラグをプリント基板に対して平行にできるので、作業性がより向上する。また、つめと係止孔を設けることで、光信号伝送用プラグをプリント基板に対して平行な姿勢で確実に保持することができる。
【発明を実施するための最良の形態】
【００２４】
図１から図７は、本発明の第１実施例に係るレセプタクル１０１を示す。レセプタクル１０１は、ハウジング１０８、光電変換素子１０６、及び帯状部材１０４を備えている。
【００２５】
ハウジング１０８は直方体状であり、その内部に光電変換素子１０６が収容されている（図４参照）。光電変換素子１０６が備える３個の端子１０３ａ，１０３ｂ，１０３ｃは、ハウジング１０８のプリント基板１１０に対する対向面１３１から突出している。また、図１に示すように、ハウジング１０８の対向面１３１とは反対側の面（正面１３１ｂ）の中央付近にプラグ挿入口１０７が開口している。このプラグ挿入口１０７に差し込まれた光信号伝送用プラグ３１０（図６参照、以下「プラグ」と呼ぶ）と、光電変換素子１０６との間で光信号の授受が行われる。
【００２６】
帯状部材１０４はハウジング１０８の外周に固定されている。図６及び図７に示すように、この帯状部材１０４の後述する突出片１０２ａ〜１０２ｃの先端がプリント基板１１０に予め形成された挿通孔１１１ａ〜１１１ｃに挿通され、かつプリント基板１１０に半田付けされることにより、レセプタクル１０１のハウジング１０８がプリント基板１１０に対して固定される。プラグ挿入口１０７はプリント基板１１０に対して垂直な方向に延びている。従って、プリント基板１１０の任意の位置にレセプタクル１０１を設けても、作業効率を損なうことなくプラグ挿入口１０７に対してプラグ３１０の抜き差しが可能である。
【００２７】
帯状部材１０４は、アルミ、鉄、銅等の金属からなる板状体であり、ハウジング１０８の外形に沿って折り曲げた基部１１３と、この基部１１３から延びる突出片１０２ａ，１０２ｂ，１０２ｃを備えている。帯状部材１０４はいわばハウジング１０８の外周に対して巻き付いた状態で固定されている。詳細には、対向面１３１ａ及び正面１３１ｂ以外のハウジング１０８の４つの側面１３１ｃ，１３１ｄ，１３１ｅ，１３１ｆのうち、３つの側面１３１ｃ〜１３１ｅに帯状部材１０４の基部１１３が巻き付けられている。代案としては、帯状部材１０４の基部１１３は、ハウジング１０８を一周するように、すなわち４つの側面１３１ｃ〜１３１ｆのすべてに巻き付けられる形状であってもよい。
【００２８】
ハウジング１０８の側面１３１ｃ〜１３１ｅには帯状部材１０４の形状に対応して窪んだ位置決め用凹部１３３が設けられている。帯状部材１０４の基部１１３は、この位置決め用凹部１３３に嵌まった状態でハウジング１０８に対して保持されている。また、ハウジング１０８には位置決め用凹部１３３の近傍に帯状部材１０４の基部１１３を係止するためのツバ部１３６が設けられている。
【００２９】
図２及び図３に最も明瞭に表れているように、突出片１０２ａ〜１０２ｃは、基部１１３の長手方向（基部１１３がハウジング１０８に対して巻き付いている方向）に対して直交する方向に延びて、対向面１３１ａから突出している。これら３つの突出片１０２ａ〜１０２ｃのうち、突出片１０２ａ，１０２ｃが基部１１３のハウジング１０８を挟んで対向する部分から突出している。
【００３０】
図２及び図３に示すように、突出片１０２ａ〜１０２ｃの先端は、外向きにいわば「く」の字状に折り曲げられている。この折り曲げにより、突出片１０２ａ〜１０２ｃの先端には部分的に外向きに突出する係止部１３５が形成されている。本実施例では係止部１３５が設けられた突出片１０２ａ〜１０２ｃの先端は、「く」の字状に折れて斜めに向いたままであるが、図５に示すように、突出片１０２ａ〜１０２ｃの最先端部を他の部分が延びる方向に再び向くよう折り曲げてもよい。
【００３１】
図６及び図７は第１実施形態のレセプタクル１０１をプリント基板１１０に対して固定した状態を示している。光電変換素子１０６の３つの端子１０３ａ〜１０３ｃがそれぞれ、プリント基板１１０に設けられた対応する挿通孔１１２ａ，１１２ｂ，１１２ｃに挿入され、半田付けされている。また、帯状部材１０４の３つの突出片１０２ａ〜１０２ｃがそれぞれ、プリント基板１１０に設けられた対応する挿通孔１１１ａ，１１１ｂ，１１１ｃに挿通され、半田付けされている。各突出片１０２ａ〜１０２ｃは弾性を有し、かつ先端には外向きに突出する係止部１３５が設けられているので、各突出片１０２ａ〜１０２ｃには対応する挿通孔１１ａ〜１１１ｃの壁から内向きの力が作用する。その結果、帯状部材１０４には外側から締め付ける力が作用する。特に、突出片１０２ａ，１０２ｃが互いに対向する位置に設けられているので、帯状部材１０４には左右から挟み込む力が作用する。このプリント基板１１０から帯状部材１０４に作用する力により、レセプタクル１０１のハウジング１０８はプリント基板１１０に対して強固に固定される。
【００３２】
図２を参照すると、帯状部材１０４が備える３つの突出片１０２ａ〜１０２ｃのハウジング１０８の対向面１３１ａから突出する部分の長さＬ１は、光電変換素子１０６が備える３つの端子１０３ａ〜１０３ｃがハウジング１０８の対向面１３１ａから突出する部分の長さＬ２よりも短い。帯状部材１０４の突出片１０２ａ〜１０２ｃはレセプタクル１０１をプリント基板１１０に固定する機能を有するので十分な強度を有する一方、光電変換素子１０６の端子１０３ａ〜１０３ｃは電気的な接続のためのものであるので比較的屈曲しやすい。仮に突出片１０２ａ〜１０２ｃが光電変換素子の端子１０３ａ〜１０３ｃよりも長いとすると、プリント基板１１０に対して先に突出片１０２ａ〜１０２ｃが差し込まれ、その後で端子１０３ａ〜１０３ｃがプリント基板１１０に差し込まれることになる。このとき、プリント基板１１０の挿通孔１１１ａ〜１１１ｃ，１１２ａ〜１１２ｃと、突出片１０２ａ〜１０２ｃおよび光電変換素子１０６の端子１０３ａ〜１０３ｃとの位置関係が正確であれば、突出片１０２ａ〜１０２ｃと端子１０３ａ〜１０３ｃの両方が支障なくプリント基板１１０に差し込まれる。しかし、この位置関係の精度が低いと、先にプリント基板１１０に差し込んだ突出片１０２ａ〜１０２ｃを微動させることで、光電変換素子１０６の端子がプリント基板１１０の挿通孔１１２ａ〜１１２ｃに入るようにハウジング１０８の位置を調節する必要がある。しかし、突出片１０２ａ〜１０２ｃの強度が高いと、この微動は容易ではない。本実施形態では、帯状部材１０４の突出片１０２ａ〜１０２ｃの長さＬ１が、光電変換素子１０６の端子１０３ａ〜１０３ｃの長さＬ２より短いので、比較的強度の低い光電変換素子１０６の端子１０３ａ〜１０３ｃが突出片１０２ａ〜１０２ｃよりも先にプリント基板１１０に先に挿入される。従って、突出片１０２ａ〜１０２ｃと対応する挿通孔１１１ａ〜１１１ｃの位置に多少のずれが生じている場合でも、比較的低強度の光電変換素子１０６の端子１０３ａ〜１０３ｃを微動させることで、突出片１０２ａ〜１０２ｃを確実に挿通孔１１１ａ〜１１１ｃに挿入することができる。
【００３３】
図６及び図７に示すように、帯状部材１０４には貫通孔１０９ａ，１０９ｂ，１０９ｃが設けられる。これらの貫通孔１０９ａ〜１０９ｃは、突出片１０２ａ〜１０２ｃと基部１０４の接続部分の近傍に設けられている。レセプタクル１０１をプリント基板１１０に固定した状態では、プリント基板１１０にハウジング１０８の対向面１３１ａが当接する部位にこれらの貫通孔１０９ａ〜１０９ｃが位置する。これらの貫通孔１０９ａ〜１０９ｃを設けることにより、突出片１０２ａ〜１０２ｃを半田付けするときに、突出片１０２ａ〜１０２ｃを伝って半田がハウジング１０８に達するのを防止することができる。
【００３４】
ハウジング１０８の対向面１３１ａには溝１０５を設けている。図４に示すように対向面１３１ａ側から見ると溝１０５は逆Ｔ字状である。この逆Ｔ字状の溝１０５が有する３つの端部と対応する位置に帯状部材１０４の突出片１０２ａ〜１０２ｃが配置されている。図２及び図３に示すように、各突出片１０２ａ〜１０２ｃの貫通孔１０９ａ〜１０９ｃは、溝１０５の端部と対応している。換言すれば、各突出片１０２ａ〜１０２ｃの貫通孔１０９ａ〜１０９ｃを介して溝１０５が見えている。仮にハウジング１０８の対向面１３１ａが溝１０５のない一様に平坦な形状であるとすると、半田付けをするときに、プリント基板１１０から溶け出したフラックスがプリント基板１１０とハウジング１０８の対向面１３１ａとの間に侵入する。その結果、ハウジング１０８の固定位置にゆがみが生じ、ゆがんだ状態で固定されると強度が低下する。しかし、本実施形態ではハウジング１０８の対向面１３１ａに溝１０５を設けているので、プリント基板１１０から溶け出したフラックスは溝１０５に流入し、プリント基板１１０とハウジング１０８の対向面１３１ａとの間に侵入するのを防止することができる。
【００３５】
（第２実施形態）
図８から図１１は、本発明の第２実施例に係るレセプタクル２０１を示す。レセプタクル２０１は、ハウジング２０８、ホルダ２２０、光電変換素子２０６、及び帯状部材２０４を備えている。
【００３６】
ハウジング２０８は、その内部に光電変換素子２０６が収容されており、外周にはプリント基板２１０に固定するための帯状部材２０４が固定されている。図１４及び図１５を併せて参照すると、光電変換素子２０６の３つの端子２０３ａ，２０３ｂ，２０３ｃはハウジング１０８のプリント基板２１０に対する対向面２３１ａから突出している。これらの端子２０３ａ〜２０３ｃはプリント基板２１０の対応する挿通孔２１２ａ〜２１２ｃに挿通され、半田付けされている。また、帯状部材２０４が備える５つの突出片２０２ａ，２０２ｂ，２０２ｃ，２０２ｄ，２０２ｅが対向面２３１ａから突出している。これらの突出片２０２ａ〜２０２ｅはプリント基板２１０の対応する挿通孔２１１ａ〜２１１ｃに挿通され、半田付けされている。
【００３７】
第１実施形態と同様に、帯状部材２０４の基部２１３はハウジング２０８の外周に設けられた位置決め用凹部２３３に配置され、ツバ部２３６により係止されている。また、各突出片２０２ａ〜２０２ｅは基部２１３に対して直交する方向に延び、その先端部には部分的に外向きに突出する係止部２３５が折り曲げ加工により形成されている。さらに、突出片２０２ａ〜２０２ｅの長さＬ１は、端子２０３ａ〜２０３ｃの長さＬ２よりも短く設定されている。さらにまた、各突出片２０２ａ〜２０２ｃには貫通孔２０９ａ，２０９ｂ，２０９ｃが設けられ、ハウジング２０８の対向面２３１ａには溝２０５が形成されている。これらの構成の機能ないしは作用は第１実施形態と同様である。
【００３８】
図８から図１１を参照すると、ハウジング２０８には、空間ないしはプラグ収容室２４０が設けられている。プラグ収容室２４０は対向面２３１ａとは反対側の面（正面２３１ｂ）と、対向面２３１ａ及び正面２３１ｂ以外の４つの側面のうちの一つ（図１１において下側に位置する面２３１ｃ）で開口している。光電変換素子２０６はハウジング２０８の４つの側面のうち上記プラグ収容室２４０が開口している面２３１ｃと対向する面２３１ｄの近傍に収容されている。
【００３９】
プラグ収容室２４０内にケーブル保持部ないしはホルダ２２０が収容されている。図１２を併せて参照すると、ホルダ２２０は立方体状であり、後述するプラグ３１０の先端部３１０ａを差し込むための挿入口２２１が貫通して設けられている。また、プラグ３１０の互いに対向する側面に一対の回転ピン２２２ａ，２２２ｂが設けられている。これらの回転ピン２２２ａ，２２２ｂは、プラグ収容室２４０の側壁２４１ａ，２４１ｂに設けられた一対のピン孔２４２ａ，２４２ｂにそれぞれ挿入されている。ホルダ２２０は回転ピン２２２ａ，２２２ｂ回りに、すなわちプラグ３１０の挿入口２２１が延びる方向と直交する軸線回りに、ハウジング２０８に対して回転可能である。プラグ収容室２４０の側壁２４１ａ，２４１ｂには正面２３１ｂからピン孔２４２ａ，２４２ｂに達するガイド溝２４３ａ，２４３ｂが設けられている。レセプタクル２０１に組立時には、このガイド溝２４３ａ，２４３ｂによって、ホルダ２２０の回転ピン２２２ａ，２２ｂが対応するピン孔２４２ａ，２４２ｂまで案内される。プラグ収容室２４０の側壁２４１ａ，２４１ｂには、後述するようにプラグ３１０を固定するための一対の詰つめ２４４ａ，２４４ｂが互いに対向して設けられている。
【００４０】
図１３を参照すると、本実施例のレセプタクル２０１と使用するプラグ３１０は、ホルダ２２０に貫通して差し込むための先端部３１０ａを備えている。この先端部３１０ａの最先端面から光ファイバの保持部３１０ｂが突出している。この保持部３１０ｂの先端面で光信号の送受信が行われる。また、プラグ３１０の基端側には、前記ハウジング２０８側のつめ２４４ａ，２４４ｂと対応する係止孔３１１ａ，３１１ｂが設けられている。さらに、先端部３１０ａの基部側にはホルダ２２０に対する挿入位置を規定する位置決め面３１２が設けられている。
【００４１】
次に、図１６及び図１７を参照して、レセプタクル２０１にプラグ３１０を挿入及び固定する作業を説明する。プラグ３１０の挿入時にはホルダ２２０はハウジング２０８の正面に挿入口２２１が向いた姿勢とされている（図８参照）。まず、図１６において矢印Ａで示すように、ホルダ２２０の挿入口２２１にプラグ３１０の先端部３１０ａを挿入する。プラグ３１０は位置決め面３１２がホルダ２２０に当接するまで挿入される。正規位置までプラグ３１０が挿入されると、プラグ３１０はホルダ２２０を貫通し、保持部３１０ｂを含む先端部３１０ａの最先端面がホルダ２２０から突出する。図１４及び図１５を併せて参照すると、レセプタクル２０１は挿入口２２１がプリント基板２１０に対して垂直に延びるように、プリント基板２１０に対して固定されている。従って、プリント基板２１０の任意の位置にレセプタクル２０１を設けても、作業効率を損なうことなくプラグ３０１の抜き差しが可能である。
【００４２】
次に、図１６において矢印Ｂで示すように、ホルダ２２０をそれに保持されているプラグ３１０と共に９０度回転させる。この回転によりプラグ３１０を先端に備える光ケーブル３１３はプリント基板２１０に対する平行となる。また、プラグ３１０の先端部３１０ａにある保持部３１０ｂが光電変換素子２０６に対して位置決めされた状態で当接し、プラグ３１０と光電変換素子２０６との間での光信号の授受が可能となる。ホルダ２２０及びプラグ３１０をこの正規位置まで回転させると、ハウジング２０８のつめ２４４ａ，２４４ｂがプラグ３１０の係止孔３１１ａ，３３１ｂに嵌まり込む。これによってハウジング２０８に対してプラグ３１０が固定され、光ケーブル３１３はプリント基板２１０に対して平行な姿勢で保持することができ、省スペース化や、光ケーブル３１３に対する過度の負荷の防止を図ることができる。
【００４３】
図１６を参照すると、回転ピン２２０ｂ，２２０ｃはホルダ２２０の中心よりも少し上側に設けられている。これによってプラグ３１０を挿入して回転させる時に、レセプタクル２０１の他の部分との干渉を防止することができる。
【図面の簡単な説明】
【００４４】
【図１】本発明の第１実施形態のレセプタクルを示す正面図である。
【図２】本発明の第１実施形態のレセプタクルを示す右側面図である。
【図３】本発明の第１実施形態のレセプタクルを示す底面図である。
【図４】本発明の第１実施形態のレセプタクルを示す背面図である。
【図５】突出片の先端部の形状の代案を示す拡大図である。
【図６】本発明の第１実施形態のレセプタクルのプリント基板への取付構造を示す部分断面底面図である。
【図７】本発明の第１実施形態のレセプタクルのプリント基板への取付構造を示す部分断面右側面図である。
【図８】本発明の第２実施形態のレセプタクルを示す正面図である。
【図９】本発明の第２実施形態のレセプタクルを示す右側面図である。
【図１０】本発明の第２実施形態のレセプタクルを示す底面図である。
【図１１】図８のXI−XI線での断面図である。
【図１２】（Ａ）はホルダの正面図、（Ｂ）はホルダの右側面図である。
【図１３】光信号伝送用プラグを示す側面図である。
【図１４】本発明の第２実施形態のレセプタクルのプリント基板への取付構造を示す部分断面底面図である。
【図１５】本発明の第２実施形態のレセプタクルのプリント基板への取付構造を示す部分断面右側面図である。
【図１６】光信号伝送用プラグのレセプタクルに対する接続作業を説明するための図１１と同様の部分断面右側面図である。
【図１７】光信号伝送用プラグのレセプタクルに対する接続作業を説明するための図１１と同様の部分断面右側面図である。
【符号の説明】
【００４５】
１０１    レセプタクル
１０２ａ，１０２ｂ，１０２ｃ    突出片
１０３ａ，１０３ｂ，１０３ｃ    端子
１０４    帯状部材
１０５    溝
１０６    光電変換素子
１０７    プラグ挿入口
１０８    ハウジング
１０９ａ，１０９ｂ，１０９ｃ    貫通孔
１１０    プリント基板
１１１ａ，１１１ｂ，１１１ｃ，１１２ａ，１１２ｂ，１１２ｃ    挿通孔
１１３    基部
１３１ａ    対向面
１３１ｂ    正面
１３１ｃ，１３１ｄ，１３１ｅ，１３１ｆ    側面
１３３    位置決め用凹部
１３５    係止部
１３６    ツバ部
２０１    レセプタクル
２０２ａ，２０２ｂ，２０２ｃ，２０２ｄ，２０２ｅ    突出片
２０３ａ，２０３ｂ，２０３ｃ，２０３ｃ    端子
２０４    帯状部材
２０６    光電変換素子
２０８    ハウジング
２１１ａ，２１１ｂ，２１１ｃ，２１２ａ，２１２ｂ，２１２ｃ    挿通孔
２１３    基部
２２０  ホルダ
２２１  挿入口
２２２ａ，２２２ｂ    回転ピン
２３１ａ    対向面
２３１ｂ    正面
２３３    位置決め用凹部
２３５    係止部
２３６    ツバ部
２４０    プラグ収容室
２４１ａ，２４１ｂ    側壁
２４２ａ，２４２ｂ    ピン孔
２４３ａ，２４３ｂ    ガイド溝
２４４ａ，２４４ｂ    つめ
３１０    プラグ
３１０ａ  先端部
３１０ｂ  保持部
３１１ａ，３１１ｂ  係止孔
３１２  位置決め面
３１３  光ケーブル
【図１】
2005043750.tif 000003
【図２】
2005043750.tif 000004
【図３】
2005043750.tif 000005
【図４】
2005043750.tif 000006
【図５】
2005043750.tif 000007
【図６】
2005043750.tif 000008
【図７】
2005043750.tif 000009
【図８】
2005043750.tif 000010
【図９】
2005043750.tif 000011
【図１０】
2005043750.tif 000012
【図１１】
2005043750.tif 000013
【図１２】
2005043750.tif 000014
【図１３】
2005043750.tif 000015
【図１４】
2005043750.tif 000016
【図１５】
2005043750.tif 000017
【図１６】
2005043750.tif 000018
【図１７】
2005043750.tif 000019